(57)【特許請求の範囲】
【請求項１】
被測定者の生体インピーダンスを測定する手段と、
測定される前記生体インピーダンスの時間的変化を検出する手段と、
前記生体インピーダンスの時間的変化に基づき、単位期間あたりの生体インピーダンス変動量を算出する変動量算出手段と、
単位期間あたりの前記生体インピーダンス変動量を用いて、被測定者の体重のその後の変化傾向を判定する判定手段と、
前記判定の結果を出力する手段と、を備える、体重管理装置。
【請求項２】
被測定者の体重データを取得する手段と、
取得する体重データに基づき、体重の時間的変化を検出する体重変化検出手段と、
体重の時間的変化に基づき、前記単位期間あたりの体重変動量を算出する体重変動量算出手段と、をさらに備え、
前記判定手段は、
前記単位期間あたりの前記生体インピーダンス変動量と、当該単位期間あたりの体重変動量との関係から、被測定者の体重のその後の変化傾向を判定する、請求項１に記載の体重管理装置。
【請求項３】
前記判定手段は、
前記単位期間あたりの増加した前記生体インピーダンス量と、当該単位期間あたりの体重の減少量との関係から、被測定者の体重のその後の変化傾向を判定する、請求項２に記載の体重管理装置。
【請求項４】
前記判定手段は、
前記単位期間あたりの増加した前記生体インピーダンス量と、当該単位期間において継続して減少する場合の体重の減少量との関係から、被測定者の体重のその後の変化傾向を判定する、請求項３に記載の体重管理装置。
【請求項５】
前記判定手段は、
前記単位期間において継続して増加する場合の前記生体インピーダンス増加量と、当該単位期間において継続して減少する場合の体重の減少量との関係から、被測定者の体重のその後の変化傾向を判定する、請求項３または４に記載の体重管理装置。
【請求項６】
測定される前記生体インピーダンスを用いて、被測定者の体内の水分量を算出する手段を、さらに備える、請求項１から５のいずれかに記載の体重管理装置。
【請求項７】
測定される前記生体インピーダンスを用いて、被測定者の体内の水分量の時間的変化を検出する水分変化検出手段と、
水分量の時間的変化に基づき、水分量の単位期間あたりの水分変動量を算出する水分変動量算出手段と、をさらに備え、
単位期間あたりの前記水分変動量を用いて、被測定者の体重のその後の変化傾向を判定する、請求項１から６のいずれかに記載の体重管理装置。
【請求項８】
被測定者について測定される生体インピーダンスを取得する手段と、
取得される前記生体インピーダンスの時間的変化を検出する手段と、
前記生体インピーダンスの時間的変化に基づき、単位期間あたりの生体インピーダンス変動量を算出する変動量算出手段と、
単位期間あたりの前記生体インピーダンス変動量を用いて、被測定者の体重のその後の変化傾向を判定する判定手段と、
前記判定の結果を出力する手段と、を備える、体重管理装置。
【発明の詳細な説明】
【技術分野】
【０００１】
本発明は体重管理装置に関し、特に、体重変動を予測する機能を備える体重管理装置に関する。
【背景技術】
【０００２】
健康維持のために体重変動を予測する機能の提供が要求されてきた。当該機能としては、たとえば、一定期間体重値を測定して、その結果から得られる近似曲線から体重変動を予測する方法などがある。
【０００３】
また、健康維持のために生体中の水分量を測定し、測定結果から体水分量の状態を判定し、病態把握を支援するために、その判定結果を出力する装置が、特許文献１（特開２００２−４５３４６号公報）に記載される。
【０００４】
また、体重変化の状態と体水分量の状態とを組合わせて、総合的に健康状態の判定を行う体重管理装置が、特許文献２（特開２００２−１１２９７６号公報）に記載される。
【先行技術文献】
【特許文献】
【０００５】
【特許文献１】特開２００２−４５３４６号公報
【特許文献２】特開２００２−１１２９７６号公報
【発明の概要】
【発明が解決しようとする課題】
【０００６】
ここで、体重変動は体水分量と関係することが知られている。ダイエット目的など正確な体重管理を実現するために、体水分量との関係から体重変動を予測する機能の提供が望まれる。しかしながら、特許文献１（特開２００２−４５３４６号公報）では体重変動を予測するものではない。また、特許文献２（特開２００２−１１２９７６号公報）は、測定した体水分量の状態を用いて健康状態の判定をし、その結果を出力するが、体水分量の状態を用いて体重変動を予測する機能を提供するものではない。
【０００７】
それゆえに、本発明の目的は、体重変化の傾向を予測する体重管理装置を提供することである。
【課題を解決するための手段】
【０００８】
本発明は、被測定者の生体インピーダンスを測定する手段と、測定される生体インピーダンスを用いて、被測定者の体内の水分量の時間的変化を検出する水分変化検出手段と、水分量の時間的変化に基づき、水分量の単位期間あたりの水分変動量を算出する水分変動量算出手段と、単位期間あたりの水分変動量を用いて、被測定者の体重のその後の変化傾向を判定する判定手段と、判定手段による判定の結果を出力する手段と、を備える。
【発明の効果】
【０００９】
本発明によれば、体重の変化傾向を予測できる。
【図面の簡単な説明】
【００１０】
【図１】本発明の実施の形態に係る体重体組成計の外観図である。
【図２】本発明の実施の形態に係る体重管理システム１の構成図である。
【図３】本発明の実施の形態に係る体重体組成計の体重管理に係る機能構成図である。
【図４】本発明の実施の形態に係る全体処理のフローチャートである。
【図５】本発明の実施の形態に係る記録・分析処理のフローチャートである。
【図６】本発明の実施の形態に係る減量判定処理のフローチャートである。
【図７】本発明の実施の形態に係るリバウンド判定処理のフローチャートである。
【図８】本発明の実施の形態に係る体重記憶部の記憶内容を例示する図である。
【図９】本発明の実施の形態に係るインピーダンス記憶部の記憶内容を例示する図である。
【図１０】本発明の実施の形態に係る体重・インピーダンスの移動平均値の変化を示すグラフである。
【図１１】本発明の実施の形態に係る表示部による表示例を示す図である。
【図１２】本発明の実施の形態に係る表示部による表示例を示す図である。
【発明を実施するための形態】
【００１１】
以下、この発明の実施の形態について、図面を参照しながら詳細に説明する。なお、図中の同一または相当部分については、同一符号を付してその説明は繰返さない。
【００１２】
本実施の形態では、「リバウンド」とは、体重減少が順調に継続している状態から増加状態に移行する現象を指す。「リバウンド期」とは、リバウンドを経て体重が増加する状態が継続する期間を指す。
【００１３】
また「停滞期」とは、体重減少が順調に継続している状態から体重が変化しない状態が継続する期間を指す。
【００１４】
本実施の形態では、体重管理装置として、体重だけでなく生体インピーダンスを測定することにより体脂肪率などの体組成情報も取得することができる体重体組成計を例示する。
【００１５】
図１は、本発明の実施の形態に係る体重体組成計３の外観図である。図２は、本発明の実施の形態に係る体重管理システム１の構成図である。
【００１６】
図２の体重管理システム１は、体重体組成計３と、体重体組成計３と通信するサーバ（サーバコンピュータ）５を備える。図２では、説明を簡単にするために、サーバ５には１台の体重体組成計３が接続されるとしているが、複数台の体重体組成計３が接続されてもよい。図２では、体重体組成計３とサーバ５は無線または有線により通信する。なお、体重体組成計３とサーバ５との間でのデータの授受は通信によらず、記憶媒体を介して授受するようにしてもよい。
【００１７】
図１を参照して、体重体組成計３は、被測定者（ユーザ）が手で持つ第１の筐体である表示操作部１０、被測定者が乗る第２の筐体である体重測定部３０とを備える。
【００１８】
表示操作部１０は、図２に示すように通信部１１、記憶部１２、計時部１３、操作部１４、表示部１５、定電流回路部１６、電源部１７、ＣＰＵ（Central Processing Unit）１８１を有する制御部１８、二重積分ＡＤ（Analog/Digital）部１９、インピーダンス検知部２０、および電極部２１を含む。
【００１９】
通信部１１は、制御部１８に接続されており、該制御部１８からの制御信号に従ってサーバ５と通信する。なお、通信部１１は、サーバ５に限らず、歩数計などの他の生体情報取得装置と通信する、あるいはパーソナルコンピュータや携帯情報端末(ＰＤＡ（Personal Digital Assistants）、携帯電話機など)と通信するなど、適宜の装置と通信するとしてもよい。
【００２０】
記憶部１２は、不揮発性のメモリやハードディスクなどの情報を記憶できる装置を含む。記憶部１２は、接続された制御部１８から制御信号に従って情報の読出しと書き込みがされる。記憶部１２は、測定した体重を記憶するための体重記憶部１２１、および測定（算出）されたインピーダンス値を記憶するためのインピーダンス記憶部１２２を含む。
【００２１】
計時部１３は、現在日時などの時刻を計時するタイマ・カウンタから構成される装置であり、必要に応じて時刻を制御部１８へ出力する。
【００２２】
操作部１４は、押下などの操作がされる複数のボタン・スイッチなど(図１参照)を含む。被測定者は操作部１４を操作することにより、ＩＤ、性別、年齢、身長、体重などの被測定者の個人情報・身体情報を入力することができる。入力されたこれら情報は、制御部１８へ出力される。
【００２３】
表示部１５は、液晶画面(図１参照)などの表示装置によって構成され、制御部１８から与えられる画像信号に従って文字や図形などの画像を表示する。
【００２４】
定電流回路部１６は、制御部１８の制御に基づいて、電源部１７から供給される高周波(交流)電流を電流印加用の電極部２１に一方向に流す。
【００２５】
電源部１７は、制御部１８を含む各部に動作電力を供給する。
制御部１８は、ＣＰＵ１８１、および図示のないＲＯＭ（Read Only Memory）とＲＡＭ（Random Access Memory）を含むマイコン(マイクロコンピュータ)により構成されており、ＲＯＭ等に記憶されているプログラムおよび各種データに従って各部の制御動作や演算動作を実行する。
【００２６】
このプログラムおよびデータには、体重管理のためのプログラムおよびデータが含まれる。
【００２７】
二重積分ＡＤ部１９は、二重積分型のＡＤ変換部である。動作においては、インピーダンス検知部２０から出力されるアナログ信号（電圧信号）をデジタル信号に変換して制御部１８に出力する。
【００２８】
インピーダンス検知部２０は、体重測定部３０に設けられている電極部３６と表示操作部１０に設けられている電極部２１との電位差に基づいて、被測定者の生体インピーダンスを算出する。生体インピーダンス値とは、人体が伝導性の高い組織（Conductor：除脂肪）と低い組織（Insulator：体脂肪）で構成されているという電気的特性と、インピーダンス測定値に二つの組織の比率が反映されるという特性を反映する。したがって、筋肉・体水分は脂肪に比較して電流が流れ易く電気的抵抗が低いために、他の組織構成がかわらないとすれば、算出されるインピーダンス値が低いほど、体水分量は多く、逆に、インピーダンス値が高いほど、体水分量は少ないことがわかる。
【００２９】
電極部２１は、被測定者が手で持つ表示操作部１０のグリップ部分(図１参照)の表面に設けられる。電極部２１は、生体インピーダンスを算出するために、グリップ部分を握っている被測定者の手のひらへ電源部１７から供給される高周波(交流)電流を印加する。
【００３０】
体重測定部３０は、操作部３１、電池３２、荷重検知部３３、および電極部３６を含む。操作部３１は、電源のＯＮ／ＯＦＦを切り替えるために操作される入力スイッチとして機能し、操作部３１は操作されると操作に応じた入力信号を制御部１８に出力する。
【００３１】
電池３２は、電源部１７を中心に各部へ電力を供給する。
荷重検知部３３は、複数のロードセル３４を内蔵する。筐体の上面カバーを兼ね備える上面カバー部３５(図１参照)の上に乗った被測定者の体重を測定する。測定された体重は、二重積分ＡＤ部１９に出力される。
【００３２】
電極部３６は、被測定者が乗る体重測定部３０の上面部分(図１参照)の表面に設けられており、生体インピーダンスを算出するために、被測定者の足裏から流れてくる電流を検出する電流測定用の電極である。電極部３６は、被測定者の左足指側、左足踵側、右足指側、右足踵側に接触する４つの電極を含む。
【００３３】
荷重検知部３３のロードセル３４のそれぞれは、体重測定部３０の上面部分にかかる荷重を測定可能なように、ここでは、電極部３６の各電極の下部に配置される。したがって、上面部分に被測定者が乗った場合に、生体インピーダンスと体重の両方を測定することができる。
【００３４】
体重測定において、各ロードセル３４には、被測定者の体重による荷重がかかる。各ロードセル３４は、かけられる荷重に応じて変形する金属部材からなる歪体と、歪体に張られた歪ゲージとからなる。歪体が歪むと、歪ゲージが伸縮して歪ゲージの伸縮に応じて抵抗値が変化し、その抵抗変化は荷重信号出力として導出される。したがって、被測定者が上面部分に乗って、両足が各ロードセル３４にかかった場合、ロードセル３４にかけられる被測定者の体重により歪体が歪むと、上述の荷重信号出力の変化として体重が測定される。
【００３５】
なお、荷重を検出するための荷重センサとして、本実施の形態では、ロードセル３４を利用しているが、上面部へ加えられた力の量が検出できるものであれば、たとえば、ばねやピエゾフィルムを利用したセンサや、圧縮素子、変位センサなどであってもよい。
【００３６】
サーバ５は、通信部５１、ＣＰＵ５２１、ＲＯＭ、ＲＡＭを有するコンピュータからなる制御部５２、操作部５３、表示部５４、および記憶部５５を含む。さらに、ＣＤ−ＲＯＭ（compact-disc Read Only Memory）などの記憶媒体５７が着脱自在に装着されて、装着された記憶媒体５７をＣＰＵ５２１の制御の下にアクセス（読み書き）するＩ／Ｆ（Interface）５６を備える。
【００３７】
通信部５１は、制御部５２の制御に従って体重体組成計３とデータを送受信する。制御部５２のＣＰＵ５２１は、ＲＯＭなどに記憶されているプログラムおよびデータに従って各部の動作を制御するとともに、各種の演算を実行する。
【００３８】
操作部５３は、キーボードやマウスなどを含む。オペレータにより操作されることにより入力された信号は、制御部５２に出力される。
【００３９】
表示部５４は、液晶ディスプレイやＣＲＴ（Cathode Ray Tube）ディスプレイなどに相当する。表示部５４は、制御部５２から与えられる制御信号に従って絵・文字などの画像を表示する。
【００４０】
記憶部５５は、ハードディスクなどの固定の記憶装置、またはフレキシブルディスク、ＣＤ−ＲＯＭ（Compact Disk Read Only Memory）、ＲＯＭ（Read Only Memory）、ＲＡＭ（Random Access Memory）およびメモリカードなどのＣＰＵ５２１のコンピュータが読取り可能な記録媒体に相当する。
【００４１】
記憶部５５は、体重体組成計３で測定したデータ(体組成情報、体重データ、測定日時データなど)、および被測定者の氏名（ＩＤ）や住所といった個人情報など、被測定者に関する種々のデータが記憶される。
【００４２】
図３は、本発明の実施の形態に係る体重体組成計３の体重管理に係る機能構成図である。図３を参照して、ＣＰＵ１８１は、体重取得部１８２、水分量取得部１８３、記録処理部１８４、減量判定部１８５、リバウンド判定部１８６および出力処理部１８７を含む。これらの各部は、ＣＰＵ１８１によって実行されるプログラム、またはプログラムと回路の組合せにより実現される。このプログラムは、制御部１８の図示のないＲＯＭに予め格納されている。ＣＰＵ１８１は、ＲＯＭからプログラムを読出し、読み出したプログラムの命令を実行することにより、各部の機能が実現される。
【００４３】
体重取得部１８２は、荷重検知部３３からの出力信号に基づき、体重を算出する。
水分量取得部１８３は、二重積分ＡＤ部１９から出力される生体インピーダンス値を体水分量として取得する。
【００４４】
記録処理部１８４は、体重取得部１８２および水分量取得部１８３により取得される被測定者の体重と体水分量を、体重記憶部１２１とインピーダンス記憶部１２２のそれぞれに格納する。本実施の形態では、上述したように体重と生体インピーダンスとは同時に測定されるので、記録処理部１８４は、体重、生体インピーダンスおよび計時部１３により計時された測定時間を関連付けして記憶部１２に格納する。また、記録処理部１８４は、記憶部１２からのデータ読出時には、関連付けされた体重、生体インピーダンスおよび測定時間を記憶部１２から読出す。
【００４５】
減量判定部１８５は、体重の変動に基づき体重が順調に減少し続けている減量過程にあるか否かを判定する。
【００４６】
リバウンド判定部１８６は、リバウンドまたはリバウンド期を判定する。
出力処理部１８７は、表示部１５への情報の表示、または通信部１１を介したサーバ５への情報送信のための処理をする。
【００４７】
図４は、本発明の実施の形態に係る全体処理のフローチャートである。図５は、本発明の実施の形態に係る記録・分析処理のフローチャートである。図６は、本発明の実施の形態に係る減量判定処理のフローチャートである。図７は、本発明の実施の形態に係るリバウンド判定処理のフローチャートである。
【００４８】
図１０は、本発明の実施の形態に係る体重・インピーダンスの移動平均値の変化を示すグラフである。グラフの横軸には、体重管理の所定期間の各日が測定日として当てられている。また、縦軸には、測定された体重（単位：ｋｇ）とインピーダンス（単位：Ω）とが当てられる。
【００４９】
これらフローチャートに従うプログラムは予め記憶部１２の所定領域に格納されて、ＣＰＵ１８１は、当該記憶領域からプログラムを読出し、読出したプログラムを実行することにより処理が実現される。
【００５０】
ここでは、被測定者は体重を減らすダイエットを目的として体重体組成計３を利用すると想定する。本実施の形態では、体重管理のための的確な支援情報を提供するために、毎日、決まった時間帯に測定された体重を用いる。好ましくは、１日のうち最も体重が少ない起床後の所定時間帯において測定された体重を用いる。所定時間帯の情報は、予め記憶部１２の所定領域に格納されていると想定する。なお、被測定者に対しては、“体重管理のためには、起床後の所定時間帯（午前○時〜○時まで）において、飲食前且つ用便後に測定して下さい”のメッセージが表示部１５に表示される。これにより、被測定者は起床後の所定時間帯において体重測定することが習慣づけされる。
【００５１】
（全体処理）
図４を参照して、被測定者は測定を開始するために、操作部３１を操作して電源ＯＮの操作をする。ＣＰＵ１８１は、操作部３１からの入力信号に基づき、電源ＯＮの指示を入力する（ステップＳ１）。これにより、電源部１７から各部に電力が供給される。
【００５２】
ＣＰＵ１８１は、個人情報（身長、性別、年齢などの情報）が記憶部１２に格納済みであるかを判定する。これら情報は、体組成の算出のために必要とされる情報である。既に格納されていると判定すると（ステップＳ５でＹＥＳ）、処理をステップＳ９に移行させる。未だ格納されていないと判定すると、被測定者が操作部１４を操作することにより入力するこれら情報を記憶部１２の所定領域に格納し（ステップＳ７）、処理をステップＳ９に移行させる。
【００５３】
次に、測定処理が行われる。このとき、被測定者は、上面カバー部３５(図１参照)の上に乗った状態である。体重取得部１８２は体重を取得するとともに、水分量取得部１８３は生体インピーダンスを取得する（ステップＳ９とＳ１１）。
【００５４】
次に、後述の記録・分析処理（ステップＳ１３）が行われる。記録・分析処理では、取得された体重およびインピーダンスが体重記憶部１２１およびインピーダンス記憶部１２２において、計時部１３の測定日時データを関連付けて格納される。
【００５５】
次に、減量判定部１８５は、体重記憶部１２１から読出したデータに基づき、後述の減量判定処理を行う（ステップＳ１５）。
【００５６】
減量判定部１８５からの出力に基づき、減量過程にあると判定されないときは（ステップＳ１７でＮＯ）、処理はステップＳ２１に移行するが、減量過程にあると判定されると（ステップＳ１７でＹＥＳ）、リバウンド判定部１８６により後述するリバウンド判定処理（ステップＳ１９）が行われる。
【００５７】
判定処理の結果は、出力処理部１８７によって出力される（ステップＳ２１）。たとえば、表示部１５に表示される、または通信部１１を介してサーバ５に送信される、または記憶部１２の所定領域に格納される。
【００５８】
判定結果を出力した後に、ＣＰＵ１８１は、操作部３１の操作による指示を入力する。つまり、被測定者は、測定を終了する場合には操作部３１を介して電源ＯＦＦの操作をするので、ＣＰＵ１８１は操作部３１から電源ＯＦＦの指示を入力し、電源ＯＦＦの指示に基づき電源部１７を、各部への電力供給を断つように制御する（ステップＳ２３）。これにより、一連の処理は終了する。
【００５９】
（記録・分析処理）
図５を参照して記録・分析処理（ステップＳ１３）を説明する。ＣＰＵ１８１は、計時部１３が出力する時間データに基づき、現在時間が所定時間帯に該当するか否かを判定する（ステップＳ３１）。所定時間帯に該当しないと判定すると（ステップＳ３１でＮＯ）、測定された体重およびインピーダンスのデータは記憶部１２に格納されずに廃棄されて、記録・分析処理は終了する。
【００６０】
また、所定時間帯に該当すると判定すると（ステップＳ３１でＹＥＳ）、体重記憶部１２１に所定時間帯の時間に関連付けされた体重が格納されているか否かを判定する（ステップＳ３３）。体重が既に格納されていると判定すると（ステップＳ３３でＮＯ）、測定された体重およびインピーダンスは記憶部１２に格納されずに廃棄されて、記録・分析処理は終了するが、未だ体重が格納されていないと判定すると（ステップＳ３３でＹＥＳ）、取得された体重およびインピーダンス、ならびに測定時間は関連付けされて記憶部１２の体重記憶部１２１およびインピーダンス記憶部１２２に格納される（ステップＳ３５）。
【００６１】
ここでは、記憶部１２に格納されない体重およびインピーダンスは廃棄されるとしたが、記憶部１２の別の記憶領域に格納されてもよい。または、記憶するのに代替して表示部１５に表示されるとしてもよい。
【００６２】
（記憶内容例）
図８は、本発明の実施の形態に係る体重記憶部１２１の記憶内容を例示する図である。図９は、本発明の実施の形態に係るインピーダンス記憶部１２２の記憶内容を例示する図である。図８と図９に示すように、記録・分析処理によって、ダイエットのための体重管理期間を想定する。ここでは、体重管理期間の開始日を１日目とし、現在は２９日目であると想定する。図８と図９では、体重管理期間の１日目から本日（２９日目）までの測定体重値と測定インピーダンス値などの値が格納されている状態が示される。
【００６３】
（減量判定処理）
次に、図１０を参照しながら、図６のフローチャートに従って減量判定処理（ステップＳ１５）を説明する。
【００６４】
減量判定部１８５は、体重記憶部１２１の測定体重値について単純移動平均を算出し、算出した各移動平均を用いて体重が減量過程にあるか否かを判定する。
【００６５】
ここでは、直近のたとえば７日間の移動平均を算出する。したがって、まず７日目において体重管理期間の１日目〜７日目までの平均が算出され、８日目において２日目〜８日目までの平均が算出され、９日目において３日目〜９日目までの平均が算出される。以降、１日ずつずらした７日間について、平均が算出される。その結果、図８に示すように、体重記憶部１２１には、移動平均体重値が格納される。
【００６６】
２９日目において、減量判定部１８５は、２３日目〜本日（２９日目）までの測定体重値の平均を算出し、算出結果を２９日目の移動平均体重値（図８では６７．５ｋｇ）として格納する（ステップＳ４１）。
【００６７】
減量判定部１８５は、ステップＳ４１で算出した移動平均体重値と前回（前日）の移動平均体重値（図８では６７．３ｋｇ）との差分である移動平均体重差分を算出し、２９日目の移動平均体重差分（図８では０．１１ｋｇ）として格納する（ステップＳ４３）。
【００６８】
減量判定部１８５は、算出された移動平均体重差分に基づき体重が減少しているか否かを判定する（ステップＳ４５）。具体的には、移動平均体重差分が負の値であれば、減少していると判定し（ステップＳ４５でＹＥＳ）、ゼロまたは正の値であれば減少していないと判定し（ステップＳ４５でＮＯ）、２９日目の体重減少判定として“増加”を格納し、減量判定処理を終了する。
【００６９】
減少していると判定した場合には（ステップＳ４５でＹＥＳ）、２９日目の体重減少判定として“減少”を格納する。そして、減量判定部１８５は、減量日カウントの値を１インクリメントした値を、２９日目の減量日カウントとして格納する（ステップＳ４７）。図８では、２９日目は“増加”と判定されたために、減量日カウントは格納されていない。
【００７０】
減量判定部１８５は、所定期間以上の減量日が継続しているかを判定する（ステップＳ４９）。たとえば、直近の１０日間について体重減少判定が“減少”と記憶されていないと判定した場合には（ステップＳ４９でＮＯ）、減量過程にはないとの判定結果を出力し、処理を終了する。
【００７１】
一方、直近の１０日間について体重減少判定が“減少”と記憶されていると判定した場合には（ステップＳ４９でＹＥＳ）、処理はステップＳ５１に移行する。図８によれば、１７日目で所定期間（１０日）以上の“減少”があると判定される。そして、減量判定部１８５は、次に、所定以上の体重減少があったかを判定する（ステップＳ５１）。具体的には、体重記憶部１２１の減量日カウントの値が０から１に変わった時点の移動平均体重値（図８では７日目の移動平均体重値）を基準として、本日の移動平均体重値が、この基準値の２％減量後の値以下であると判定した場合には、所定以上の体重減少があったと判定する。たとえば、７日目の移動平均体重値（６８．９ｋｇ）を用いると、６８．９ｋｇ×０．０２＝１．４ｋｇの減量を指す移動平均体重値が算出された、たとえば２２日目においては、所定以上の体重減少があったと判定される（ステップＳ５１でＹＥＳ）。この判定は、図１０のポイントＰ２が指示する２２日目の減量判定に対応する。
【００７２】
所定以上の体重減少はないと判定されると（ステップＳ５１でＮＯ）、減量過程にはないとの判定結果を出力し、処理を終了するが、所定以上の体重減少があると判定されると（ステップＳ５１でＹＥＳ）減量判定部１８５は、減量過程にあるとの判定結果を出力し（ステップＳ５３）、処理を終了する。
【００７３】
（リバウンド判定処理）
次に、図７を参照してリバウンド判定処理（ステップＳ１９）を説明する。
【００７４】
リバウンド判定部１８６は、インピーダンス記憶部１２２の測定インピーダンス値について単純移動平均を算出し、算出した各移動平均を用いてインピーダンスが増加過程にあるか否かを判定する。上述したように、インピーダンスが増加傾向にあることは、体水分量が減少過程にあることを指し、インピーダンスが減少傾向にあることは、体水分量が増加過程にあることを指す。
【００７５】
ここでも、体重と同様に直近のたとえば７日間の移動平均を算出する。したがって、図９に示すように、インピーダンス記憶部１２２には、移動平均インピーダンス値が格納される。
【００７６】
２９日目において、リバウンド判定部１８６は、２３日目〜本日（２９日目）までの測定インピーダンス値の平均を算出し、算出結果を２９日目の移動平均インピーダンス値（図９では５０１．４Ω）として格納する（ステップＳ６１）。
【００７７】
リバウンド判定部１８６は、ステップＳ６１で算出した移動平均インピーダンス値と前回（前日）の移動平均インピーダンス値（図９では５０５．７Ω）との差分である移動平均インピーダンス差分を算出し、２９日目の移動平均インピーダンス差分（図９では−４．４Ω）として格納する（ステップＳ６３）。
【００７８】
リバウンド判定部１８６は、算出された移動平均インピーダンス差分に基づきインピーダンスが増加しているか否かを判定する（ステップＳ６５）。具体的には、移動平均インピーダンス差分が負の値であれば、減少していると判定し（ステップＳ６５でＮＯ）、ゼロまたは正の値であれば増加していると判定する（ステップＳ６５でＹＥＳ）。２９日目のインピーダンス増加判定としては“減少”が格納されて、リバウンド可能性なしの判定結果が出力されて、リバウンド判定処理を終了する。
【００７９】
増加していると判定した場合には（ステップＳ６５でＹＥＳ）、２９日目のインピーダンス増加判定として“増加”を格納する。そして、リバウンド判定部１８６は、増加日カウントの値を１インクリメントした値を、２９日目の増加日カウントとして格納する（ステップＳ６７）。図９では、２９日目は“減少”と判定されたために、増加日カウントは格納されていない。
【００８０】
リバウンド判定部１８６は、所定期間以上の増加日が継続しているかを判定する（ステップＳ６９）。たとえば、直近の１０日間についてインピーダンス増加判定が“増加”と記憶されていないと判定した場合には（ステップＳ６９でＮＯ）、リバウンド可能性なしの判定結果を出力し、処理を終了する。
【００８１】
一方、直近の１０日間についてインピーダンス増加判定が“増加”と記憶されていると判定した場合には（ステップＳ６９でＹＥＳ）、処理はステップＳ７１に移行する。図９によれば、１７日目で所定期間（１０日）以上の“増加”があると判定される。
【００８２】
そして、リバウンド判定部１８６は、次に、所定以上のインピーダンス増加があったかを判定する（ステップＳ７１）。具体的には、インピーダンス記憶部１２２の増加日カウントの値が０から１に変わった時点の移動平均インピーダンス値（図９では７日目の移動平均インピーダンス値）を基準として、本日の移動平均インピーダンス値が、この基準値の５％増加後の値以上であると判定した場合には、所定以上のインピーダンス増加があったと判定する。たとえば、７日目の移動平均インピーダンス値（４６４．７Ω）を用いると、４６４．７Ω×０．０５＝２３．２Ωの増加を指す移動平均インピーダンス値が算出された、たとえば１６日目においては、所定以上のインピーダンス増加があったと判定される（ステップＳ７１でＹＥＳ）。この判定は、図１０のポイントＰ１が指示する１６日目のリバウンドの可能性ありの判定に対応する。
【００８３】
所定以上のインピーダンス増加はないと判定されると（ステップＳ７１でＮＯ）、リバウンドの可能性はないとの判定結果を出力し、処理を終了するが、所定以上のインピーダンス増加があると判定されると（ステップＳ７１でＹＥＳ）リバウンド判定部１８６は、リバウンドの可能性があるとの判定結果を出力し（ステップＳ７３）、処理を終了する。
【００８４】
また、リバウンドの可能性ありの判定は、図１０のポイントＰ２が指示する２２日目においてもなされる。
【００８５】
図１０を参照して、上述の判定処理に従えば、ポイントＰ１が指示する１６日目では、リバウンドの可能性ありとの判定がされているけれども、減量過程にあると判定されていないために、リバウンド可能性ありの判定は出力されないが（ステップＳ２１）、ポイントＰ２が指示する２２日目では、リバウンドの可能性ありの判定がされて、且つ減量過程にあると判定されているために、リバウンド可能性ありの判定が出力される（ステップＳ２１）。
【００８６】
このように、所定期間の移動平均インピーダンス差分を、体水分量の変動差分（傾き）として算出し、算出した変動差分に基づき、被測定者の体重がその後に停滞期またはリバウンド期を迎えるかの変化の傾向を予測し、その結果を通知する。
【００８７】
図１１と図１２は、本発明の実施の形態に係る表示部１５による表示例を示す図である。図１１には、ポイントＰ２においてリバウンドの可能性ありを報知する表示画面が示されて、図１２には、ポイントＰ１においてリバウンドの可能性なしを報知する表示画面が示される。
【００８８】
図１１の画面からは、リバウンドの可能性がある旨のアラームが報知される。図１１の画面には、現在のダイエットの順調度（体重は順調に減量する過程にあること）をあわせて表示してもよい。これにより、順調に減量する過程にあるけれども、リバウンドの可能性が有る旨をアドバイスすることができる。このとき、“予測されるリバウンドは体水分量に起因するものであり、減量は順調である”旨をメッセージ出力して、被測定者が、体重管理に対するモチベーションを維持し易いようにしてもよい。
【００８９】
また、被測定者毎に、インピーダンス記憶部１２２に格納されている長期間に測定されたインピーダンスのデータをパターン分析し、リバウンド期の平均的な継続期間を算出し、リバウンドの可能性とともに、その継続期間を図１１の画面で表示してもよい。
【００９０】
また、体重記憶部１２１に格納されている長期間に測定された体重データの分析結果と、インピーダンス記憶部１２２に格納されている長期間に測定されたインピーダンスのデータの分析結果とから、リバウンドの可能性が判定された日から、実際にリバウンドが測定される、すなわち体重の減少が停止（または増加開始）する日までの平均的な猶予期間を算出し、図１１の画面で表示してもよい。
【００９１】
ここでは、表示を用いて報知をするが、表示に代替して音声により行ってもよい。また、体重体組成計３による判定の結果は、サーバ５に送信し、サーバ５によって出力（表示、音声出力、記憶部５５への格納）してもよい。
【００９２】
（体水分量の他の推定方法）
上述した実施の形態では、体水分量が多いほど、生体インピーダンスは小さくなるとの関係性に基づき、水分量取得部１８３は、測定された生体インピーダンスの変動を、体水分量の変動として扱うようにしたが、体水分量を算出してもよい。たとえば、上述の特許文献２（特開２００２−１１２９７６号公報）の算出方法を用いることができる。
【００９３】
つまり、測定された生体インピーダンスから算出されるパラメータＲｅおよびＲｉと、ステップＳ７で個人情報として入力された身長（Ｈ）、測定された体重（Ｗ）とに基づいて、細胞内液量ＩＣｗと細胞外液量ＥＣｗを算出し、体水分量ＴＢｗ＝ＩＣｗ＋ＥＣｗを算出する。
【００９４】
ＩＣｗ＝Ｋｉ１×Ｈ２／Ｒｉ＋Ｋｉ２×Ｗ＋Ｋｉ３
ＥＣｗ＝Ｋｅ１×Ｈ２／Ｒｅ＋Ｋｅ２×Ｗ＋Ｋｅ３
ＴＢｗ＝ＩＣｗ＋ＥＣｗ
ただし、Ｋｉ１、Ｋｉ２、Ｋｉ３、Ｋｅ１、Ｋｅ２、Ｋｅ３は所定係数である。また、測定された生体インピーダンスからパラメータＲｅおよびＲｉを算出する方法は、特許文献２に詳述されるので、ここでは説明を略す。
【００９５】
水分量取得部１８３は、上述の式に従って生体インピーダンスを用いて体水分量ＴＢｗを算出し、リバウンド判定部１８６は、算出された体水分量ＴＢｗの変動に基づき、リバウンドの可能性を判定するようにしてもよい。
【００９６】
本実施の形態によれば、短期間の体重変動要因としては、筋肉量や脂肪量の変動よりも体水分量の出入りによる寄与が大きいことから、その後の体重増加時には、それに先立って体水分量が増加し、体重減少時には、それに先立って体水分量が減少することに着目し、所定期間の体水分量の変動差分（正（増加）、負（減少）の傾き、およびその大きさ）を算出することにより、順調に減量が進行している場合であっても数日後に体重の停滞期またはリバウンド期など体重が増加する傾向に移行すると予測をした場合には、被測定者に通知することができる。これにより、被測定者は、ダイエットなどの体重管理に対するモチベーションを向上させる、またはモチベーションを維持することができる。
【００９７】
また、減量判定部１８５、またはリバウンド判定部１８６による判定結果のみを出力するようにしてもよい。つまり、減量過程にあるか否かの判定結果のみ、または体水分量が増加傾向にあるか否かの判定結果のみを出力するようにしてもよい。このように、出力態様として、減量判定部１８５またはリバウンド判定部１８６による判定結果のみを出力する態様とするか、または減量判定部１８５とリバウンド判定部１８６の判定の組合せ結果（リバウンドの可能性の判定結果）を出力する態様とするかは、被測定者の操作部１４を介した操作によって切替えるようにしてもよい。
【００９８】
（他の実施の形態）
上述の実施の形態の体重体組成計３による体重管理機能は、サーバ５が備えてもよい。
【００９９】
サーバ５は、体重体組成計３で測定された体重およびインピーダンスのデータを、体重体組成計３から受信し、受信したデータに基づき減量過程およびリバウンド可能性の判定、判定結果の出力など、を行う。したがって、本実施の形態に係る減量判定およびリバウンド可能性の判定は、体重体組成計３に代替してサーバ５に行わせることもできる。
【０１００】
サーバ５は、典型的には、汎用のコンピュータで構成される。サーバ５で実行される上述の各種機能に係るプログラムは、ＣＤ−ＲＯＭ（Compact Disc-Read Only Memory）などの記憶媒体５７に格納されて流通する。記憶媒体５７に格納されたプログラムは、ＣＤ−ＲＯＭ（Compact Disk-Read Only Memory）ドライブに相当の機能を有するＩ／Ｆ５６によって読取られ、サーバ５内の記憶部５５の一部であるハードディスク（図示せず）などへ格納される。あるいは、上位のホストコンピュータなどからネットワークを通じてプログラムをダウンロードするように構成してもよい。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０２】
１  体重管理システム、３  体重体組成計、５  サーバ、１０  表示操作部、１３  計時部、１５  表示部、２０  インピーダンス検知部、３０  体重測定部、５７  記憶媒体、１２１  体重記憶部、１２２  インピーダンス記憶部、１８２  体重取得部、１８３  水分量取得部、１８４  記録処理部、１８５  減量判定部、１８６  リバウンド判定部、１８７  出力処理部。
【図１】
0005708136.tif 000002
【図２】
0005708136.tif 000003
【図３】
0005708136.tif 000004
【図４】
0005708136.tif 000005
【図５】
0005708136.tif 000006
【図６】
0005708136.tif 000007
【図７】
0005708136.tif 000008
【図８】
0005708136.tif 000009
【図９】
0005708136.tif 000010
【図１１】
0005708136.tif 000011
【図１２】
0005708136.tif 000012
【図１０】
0005708136.tif 000013